(57)【要約】【課題】  金属光沢の外観に優れ、使用者の接触に対する防護性等も良くする。【解決手段】  中央部に窓部１０を有する扉枠３と、これの前面に設けられた金属製の扉飾り７と、この扉飾り７の前面を覆うと共に扉枠３の窓部１０を覆う透明の外バリア８とを具備する構成にて、実際の金属板（扉飾り７）とそれを覆った透明の外バリア８とで、透明感のある金属光沢の優れた外観を得ることができる。又、使用者が金属板（扉飾り７）、特にはそれのエッジ等に触れることは、外バリア８で防がれ、更に、万一金属板（扉飾り７）に錆が発生しても、それの散らばりが外バリア８で防がれる。【選択図】  図１
2007003120.tif 000002
【特許請求の範囲】
【請求項１】
中央部に窓部を有する扉枠と、
この扉枠の前面に設けられた金属製の扉飾りと、
この扉飾りの前面を覆うと共に前記扉枠の窓部を覆った透明の外バリアとを具備して成ることを特徴とする加熱調理器の扉。
【請求項２】
扉飾りの裏側に電子ユニットが配置されていることを特徴とする請求項１記載の加熱調理器の扉。
【請求項３】
扉飾りが内縁部に突出部を有し、この突出部が扉枠側に折曲されてアース部材と接続されていることを特徴とする請求項１記載の加熱調理器の扉。
【請求項４】
外バリア、扉飾り、扉枠を貫通してそれらを締結する中空の固定具を有し、この固定具に操作つまみを取付ける軸が挿通されていることを特徴とする請求項１記載の加熱調理器の扉。
【請求項５】
取手を有し、この取手で外バリア及び扉飾りを扉枠との間で挟持していることを特徴とする請求項１記載の加熱調理器の扉。
【発明の詳細な説明】
【技術分野】
【０００１】
本発明は、金属光沢を有する加熱調理器の扉に関する。
【背景技術】
【０００２】
従来より、加熱調理器の扉は、調理室を覗くための窓を有するものであり（例えば特許文献１，２参照）、それに金属光沢を持たせるのは、窓に填着したガラス板など透明の外バリアにシルク印刷等をすることによって実現されていた。
【特許文献１】特開２０００−６５３６３号公報
【特許文献２】特開２００４−３３３１１３号公報
【発明の開示】
【発明が解決しようとする課題】
【０００３】
しかしながら、上述の、シルク印刷等で実現された金属光沢は、虚飾感がするものであり、実際に金属板を使用した金属光沢に比して外観が劣るものであった。
【０００４】
本発明は上述の事情に鑑みてなされたものであり、従ってその目的は、金属光沢の外観に優れ、その上、使用者の接触に対する防護性等も良い加熱調理器の扉を提供するにある。
【課題を解決するための手段】
【０００５】
上記目的を達成するために、本発明の加熱調理器の扉においては、中央部に窓部を有する扉枠と、この扉枠の前面に設けられた金属製の扉飾りと、この扉飾りの前面を覆うと共に前記扉枠の窓部を覆った透明の外バリアとを具備して成ることを特徴とする（請求項１の発明）。
【発明の効果】
【０００６】
上記手段によれば、実際の金属板（扉飾り）とそれを覆った透明の外バリアとで、透明感のある金属光沢の優れた外観を得ることができる。又、使用者が金属板、特にはそれのエッジ等に触れることは、外バリアで防がれる。更に、万一金属板に錆が発生しても、それの散らばりが外バリアで防がれる。
【発明を実施するための最良の形態】
【０００７】
以下、本発明の一実施例（一実施形態）につき、図面を参照して説明する。
まず、図４には、加熱調理器の全体構成を示しており、本体１に、扉２を取付けている。本体１の内部には、図示はしないが、調理室を設けており、更に、その調理室で例えばレンジ調理を行うためのマイクロ波発振器であるマグネトロン、オーブン調理を行うためのヒータやファン、グリル調理を行うためのヒータ、スチーム調理を行うための貯水タンクや給水ポンプ並びにヒータを設けている。
【０００８】
扉２は、上記調理室の前面の開口部を開閉するもので、下辺部を後に詳述するように本体１に軸支し、その軸部を中心に上下に回動して上記調理室の前面の開口部を開閉するようになっている。
【０００９】
次いで、図５には、扉２を分解状態で示しており、この図５で明らかなように、扉２は、主として、扉枠３と、扉板４、内バリア５、扉カバー６、扉飾り７、外バリア８、取手９から成っている。
【００１０】
そのうち、扉枠３は、例えば耐熱プラスチックにより矩形の枠状に形成したもので、中央部に前記調理室を覗くための窓部１０を有しており、前面部における窓部１０の周囲部分の外縁近くまでを凹段部１１としている。凹段部１１の下部には、表示用の開口部１２と、複数の軸挿通孔１３とを形成しており、凹段部１１の図中右方の側部にはアース線挿通孔１４を形成し、それより下位の凹段部１１の左右両側部に補助固定具挿通孔１５を形成している（左側のもののみ図示）。
【００１１】
扉板４は、金属製にて、矩形状を成し、中央部に例えばパンチングによる多孔部１６(孔は一部のみ図示)を有していて、その周囲部分の裏側を図１及び図２に示す漸拡状の凹陥部１７とし、外縁部の全周に断面コ字形を成す多数の扉カバー取付部１８を形成している。このほか、扉板４には、図５に示すように、左右両側部の下部に扉側ヒンジ板１９を取付けている。
【００１２】
内バリア５は、透明で、例えばガラス板から成っており、上記扉板４の多孔部１６と同じ大きさの矩形状を成している。
扉カバー６は、金属製で、上記扉板４の扉カバー取付部１８の全部に沿う矩形の枠状を成しており、その各辺部は、図１及び図２に示すように、扉カバー取付部１８より大きめの断面コ字形を成している。
【００１３】
一方、扉飾り７は、金属調に富むステンレスやアルミニウムなど、光沢のある金属製で、図５に示すように、前記扉枠３の凹段部１１の下部と左右両側部とに添う上向きのコ字形を成しており、その下部に表示用の開口部２０と、複数の軸挿通孔２１とを形成している。又、この扉飾り７の下部の内縁部のほゞ中央には突出部２２を一体に形成し、、この突出部２２を扉枠３側である後方へ折曲している。
【００１４】
外バリア８は、透明で、例えばガラス板から成っており、前記扉枠３の窓部１０から凹段部１１にかけた部分と同じ大きさの矩形状を成している。又、この外バリア８には、下部に複数の軸挿通孔２３を形成している。
取手９は、上記外バリア８の上縁部とほゞ同じ長さを有する横長状のものにて、左右の両端部に取付部２４を有し、この取付部２４間の裏側にガード部２５を有している。
【００１５】
扉２は、以上の部品構成にて、図１及び図２に示すように、扉板４の扉カバー取付部１８に扉カバー６を被せ付け、この状態の扉カバー６を扉板４と共に扉枠３の裏側に組み込んでいる。又、扉板４の多孔部１６の裏面には、内バリア５を貼付している。
一方、扉枠３の表側においては、凹段部１１に扉飾り７を当接させ、その表側から外バリア８を当接させて扉飾り７の前面を覆うと共に扉枠３の窓部１０を覆っている。このとき、扉飾り７に外バリア８を加えた厚さは、凹段部１１の深さと同じになっており、従って、外バリア８の前面が扉枠３の凹段部１１を除く前面と面一になっている。
【００１６】
しかして、外バリア８の軸挿通孔２３から、扉飾り７の軸挿通孔２１、そして扉枠３の軸挿通孔１３には、それぞれ固定具２６を挿通している。この固定具２６は、円形の主体部２６ａの周囲部表側に囲い部２６ｂを突設し、中心部裏側に筒部２６ｃを突設したもので、その筒部２６ｃの内部で中空状を成しており、該筒部２６ｃの先端部の外周に爪部２６ｄを有している。
【００１７】
上記外バリア８の軸挿通孔２３から、扉飾り７の軸挿通孔２１、そして扉枠３の軸挿通孔１３には、詳細には、それぞれ固定具２６の筒部２６ｃを挿通しており、爪部２６ｄを扉枠３の裏面に係合させて、その爪部２６ｄと主体部２６ａとで外バリア８、扉飾り７、扉枠３を締結している。
【００１８】
ここで、上記固定具２６の挿通先である扉枠３の下部内方には、電子ユニット２７をユニットケース２８で囲って配設している。この電子ユニット２７は、詳しくは図示しないが、プリント基板など配線基板２９に、使用者により操作されるスイッチ装置や、そのスイッチ入力から加熱調理器の作動全般を制御する制御装置、調理に必要な各種の表示をする表示装置等の部品を実装して成るもので、図１に、そのうちのスイッチ装置に使用者の操作を伝える軸３０を示し、図２に、表示装置のデジタル表示器など表示器３１を示している。
【００１９】
前記固定具２６の筒部２６ｃは、上記軸３０の外周にスペースを余して被合してもおり、従って、固定具２６の筒部２６ｃ内すなわち固定具２６の内部を軸３０がスペースを余して挿通している。そして、その軸３０には、固定具２６の主体部２６ａより前方に突出した部分に、操作つまみ３２を取付けている。この操作つまみ３２は、詳細には、円筒形キャップ状の主体部３２ａに取付用の筒部３２ｂを突設して成るもので、その筒部３２ｂを上記固定具２６の筒部２６ｃ内と軸３０との間のスペースに挿入しつつ、軸３０に被せ付けており、その取付状態では、操作つまみ３２の主体部３２ａの後部を前記固定具２６の囲い部２６ｂが囲っている。
【００２０】
又、表示装置の表示器３１には、前記扉枠３の開口部１２と前記扉飾り７の開口部２０とが対応し、表示器３１による表示内容をそれらの開口部１２，２０から外バリア８を透して使用者が視認できるようにしている。
従って、この場合、扉飾り７の裏側に電子ユニット２７が位置しているものであり、更に、扉飾り７には、開口部２０の周縁部から電子ユニット２７側へ延びる延長部３３を設けている。
【００２１】
加えて、扉飾り７が有した突出部２２には、図５に示すように、アース部材であるアース線３４の一端部を接続端子３５によって嵌め込み接続し、アース線３４の他端部は、扉枠３のアース線挿通孔１４を挿通して、接続端子３６とねじ３７とにより前記扉板４に接続している。
【００２２】
更に、外バリア８の左右両側縁部の下部には、それぞれＬ字形の補助固定具３８を宛がうと共に、この補助固定具３８を前記扉枠３の補助固定具挿通孔１５に挿通して、その各先端部を扉枠３の裏側でＬ字状に折曲し、かくして、外バリア８と扉飾り７及び扉枠３を補助固定具挿通孔１５部分にても締結している。
【００２３】
そして、取手９を外バリア８及び扉枠３の前面の上部に配置して、図２に示すように、扉枠３の裏側から取手９の取付部２４にねじ３９をそれぞれ螺挿し、このねじ３９によって取手９を扉枠３に取付けており、同時に、取手９で外バリア８及び扉飾り７を扉枠３との間で挟持している
【００２４】
なお、前記扉側ヒンジ板１９は、図５に示すように、前記本体１が有する本体側ヒンジ板４０にヒンジ軸４１によって取付けており、これによって、本体１に対する扉２の前記軸支をするようにしている。又、それにより、前記アース線３４を扉板４から扉側ヒンジ板１９及び本体側ヒンジ板４０を介して本体１に接続し、この本体１が使用者側でアースされることにより、扉飾り７がアースされるようにしている。
【００２５】
上記構成のものによれば、実際の金属板である扉飾り７とそれを覆った透明の外バリア８とで、透明感のある金属光沢の優れた外観を得ることができる。又、使用者が金属板（扉飾り７）、特にはそれのエッジ等に触れることは、外バリア８で防がれ、優れた防護性を得ることができる。更に、万一金属板（扉飾り７）に錆が発生しても、それの散らばりが外バリア８で防がれ、加熱調理器周辺の部材に悪影響を及ぼすことのないようにできる。
【００２６】
加えて、上記構成のものにおいては、扉飾り７の裏側に電子ユニット２７を配置している。これにより、電子ユニット２７が発する熱を扉飾り７（金属板）で受けて放散することができ、すなわち、電子ユニット２７に必要な放熱が扉飾り７でできて、電子ユニット２７の動作の安定化がより確かにできる。
【００２７】
又、扉飾り７は内縁部に突出部２２を有し、この突出部２２を扉枠３側に折曲してアース部材であるアース線３４と接続している。これにより、電子ユニット２７が扉飾り７と近接する配置状況においても、扉飾り７からの確実なアースができることにより、電子ユニット２７に誤動作を来たすことのないようにできる。
【００２８】
更に、外バリア８、扉飾り７、扉枠３を貫通してそれらを締結する中空の固定具２６を有し、この固定具２６に操作つまみ３２を取付ける軸３０を挿通させている。これにより、外バリア８、扉飾り７、扉枠３の締結が、操作つまみ３２を取付ける軸３０を挿通させる構造と合わせて固定具２６によりでき、外バリア８、扉飾り７、扉枠３の締結構造を目立たなくできる。又、この場合、外バリア８、扉飾り７、扉枠３の締結と、操作つまみ３２を取付ける軸３０の挿通とに、別個のスペースを必要とすることがなく、限られた１つのスペースでその両方を達成できて、構造の合理化に供することができる。
【００２９】
そして、取手９を有し、この取手９で外バリア８及び扉飾り７を扉枠３との間で挟持している。これによっても、外バリア８、扉飾り７、扉枠３の締結が、取手９の取付けと合わせてできるので、外バリア８、扉飾り７、扉枠３の締結構造を目立たなくできると共に、外バリア８、扉飾り７、扉枠３の締結と、取手９の取付けとに、別個のスペースを必要とすることがなく、構造の合理化に供することができる。
【００３０】
なお、本発明は上記し且つ図面に示した実施例にのみ限定されるものではなく、要旨を逸脱しない範囲内で適宜変更して実施し得る。
【図面の簡単な説明】
【００３１】
【図１】本発明の一実施例を示す、図３のＡ−Ａ線に沿う断面図
【図２】図３のＢ−Ｂ線に沿う断面図
【図３】扉単体の正面図
【図４】加熱調理器全体の斜視図
【図５】扉単体の分解斜視図
【符号の説明】
【００３２】
図面中、２は扉、３は扉枠、７は扉飾り、８は外バリア、９は取手、１０は窓部、２２は突出部、２６は固定具、２７は電子ユニット、３０は軸、３２は操作つまみ、３４はアース線（アース部材）を示す。
【図１】
2007003120.tif 000003
【図２】
2007003120.tif 000004
【図３】
2007003120.tif 000005
【図４】
2007003120.tif 000006
【図５】
2007003120.tif 000007